(57)【要約】【課題】簡易な手順で乗りかごや巻上機を安定して吊り下げて能率よく巻上機の交換作業を進めることができるエレベータの巻上機交換用治具を提供する。【解決手段】エレベータの昇降路１内に設けられた一対のガイドレール３ａ，３ｂ間に梁部材６を架設する。この梁部材６には、ガイドレール３ａに設置されているエレベータの巻上機４を取り外して吊るときの吊元として機能する滑車２３ａ，２３ｂや掛け輪２４が設けられている。巻上機４を交換する際には、チェーンブロック３４を備える玉掛けワイヤロープ３３を滑車２３ａ，２３ｂに通し、この玉掛けワイヤロープ３３を巻上機４に連結し、チェーンブロック３４を操作して玉掛けワイヤロープ３３に張力をかけ、この状態で巻上機４をガイドレール３ａから取り外し、この巻上機４を前記玉掛けワイヤロープ３３で吊り下げ、昇降路１外に搬出する。【選択図】    図１
2004244162.tif 000002
【特許請求の範囲】
【請求項１】
エレベータの昇降路内に設けられた一対のガイドレール間に架設可能な梁部材と、
この梁部材に設けられ、前記ガイドレールに設置されているエレベータの巻上機を取り外して吊るときの吊元として機能する吊元部と、
を具備することを特徴とするエレベータの巻上機交換用治具。
【請求項２】
前記吊元部は、前記梁部材の長手方向の途中に回転自在に設けられた滑車を含むことを特徴とする請求項１に記載のエレベータの巻上機交換用治具。
【請求項３】
前記梁部材は、前記各ガイドレールの頂部に設けられた支持具を介してガイドレール間に架設されることを特徴とする請求項１または２に記載のエレベータの巻上機交換用治具。
【請求項４】
前記梁部材は、その一端部または両端部が前記ガイドレールを昇降路に固定するレールブラケットを利用してガイドレール間に架設されることを特徴とする請求項１または２に記載のエレベータの巻上機交換用治具。
【請求項５】
前記吊元部としての滑車は、前記梁部材の長手方向に沿って移動可能となっていることを特徴とする請求項１ないし４のいずれかに記載のエレベータの巻上機交換用治具。
【発明の詳細な説明】
【０００１】
【発明の属する技術分野】
この発明は、エレベータの巻上機を交換する際に使用するエレベータの巻上機交換用治具に関する。
【０００２】
【従来の技術】
従来一般のエレベータにおいては、建屋の昇降路の上方部に機械室が設けられ、この機械室内に巻上機が設置され、この巻上機から昇降路内に吊りロープが繰出され、この吊りロープの一端部に乗りかごが、他端部に釣合い重りがそれぞれ連結され、これら乗りかごと釣合い重りとが重量的にほぼバランスするように昇降路内に吊り下げられている。そして巻上機により吊りロープが駆動されることにより乗りかごと釣合い重りとが昇降路内で互いに逆方向に昇降する。
【０００３】
ところが、昇降路の上方部に機械室が設けられているタイプのエレベータにおいては、その機械室の分、建屋の高さが高くなる難点があり、そこで近年においては、巻上機を昇降路内に設置して機械室を省くようにしたいわゆるマシンルームレスタイプのエレベータが提供されるようになってきている。
【０００４】
このマシンルームレスタイプのエレベータにおいては、昇降路内に設けられた乗りかごガイド用のガイドレールの上部の背面に巻上機が取り付けられている。
【０００５】
ところで、巻上機は長期の使用等に応じて交換が必要となる場合がある。この場合、従来においては、まず乗りかごを玉掛けワイヤロープを用いてガイドレールに吊り止める一方、昇降路の内壁面の複数箇所に掛け部材を取り付け、これら掛け部材に滑車やワイヤロープを掛け、そのワイヤロープを巻上機に連結する。
【０００６】
そして巻上機をガイドレールから取り外し、その取り外した巻上機を前記ワイヤロープおよび滑車を用いて吊り下げ、昇降路外に搬出するようにしている。
【０００７】
【発明が解決しようとする課題】
しかしながら、上述の場合、巻上機の吊元部が昇降路の内壁面の近くとなるため、その吊り作業に先立って巻上機と昇降路の内壁面との間に配設されている巻上機の周辺機器や配線類を予め取り除いてからその吊り作業を行なわなければならず、このためその取り除きの作業に多大な労力と時間を要し、能率が低下する。
【０００８】
吊り下げた巻上機は、昇降路の内壁面等との干渉を避けるために、昇降路の中央寄りに引き寄せる必要があるが、その引き寄せの作業も面倒となる。
【０００９】
また、乗りかごもその両側部の２箇所を玉掛けワイヤロープで吊らねばならないから作業が面倒であるばかりでなく、その吊元部がガイドレールの途中であるため安定性に欠ける。
【００１０】
さらに、巻上機の吊元部となる掛け部材を昇降路のコンクリート内壁面に取り付けるとなると、そのコンクリート面に穴等をあけなければならず、その作業時に騒音や振動等が発生し、建屋の居住者に不快感を与えてしまう。
【００１１】
この発明はこのような点に着目してなされたもので、その目的とするところは、昇降路の内壁面に掛け部材を取り付けるような面倒で、かつ騒音や振動等が伴う作業を要することなく、簡易な手順で乗りかごや巻上機を昇降路の内壁面との干渉を避けつつ安定して吊り下げ、能率よく巻上機の交換作業を進めることができるエレベータの巻上機交換用治具を提供することにある。
【００１２】
【課題を解決するための手段】
請求項１の発明は、エレベータの昇降路内に設けられた一対のガイドレール間に架設可能な梁部材と、この梁部材に設けられ、前記ガイドレールに設置されているエレベータの巻上機を取り外して吊るときの吊元として機能する吊元部とを具備することを特徴としている。
【００１３】
請求項２に発明は、前記吊元部が、前記梁部材の長手方向の途中に回転自在に設けられた滑車を含むことを特徴としている。
【００１４】
請求項３の発明は、前記梁部材が、前記各ガイドレールの頂部に設けられた支持具を介してガイドレール間に架設されることを特徴としている。
【００１５】
請求項４の発明は、前記梁部材の一端部または両端部が前記ガイドレールを昇降路に固定するレールブラケットを利用してガイドレール間に架設されることを特徴としている。
【００１６】
請求項５の発明は、前記吊元部としての滑車が、前記梁部材の長手方向に沿って移動可能となっていることを特徴としている。
【００１７】
【発明の実施の形態】
以下、この発明の実施の形態について図面を参照して説明する。
【００１８】
図１にはこの発明の第１の実施形態を示してあり、エレベータの昇降路１内には、乗りかご２の昇降をガイドする一対のガイドレール３ａ，３ｂが互いに対向して垂直に設けられている。そして一方のガイドレール３ａの上部背面に、乗りかご２を駆動する巻上機４が複数のボルト等の締結部材（図示せず）を介して脱着可能に取り付けられている。
【００１９】
各ガイドレール３ａ，３ｂの頂部にはそれぞれ支持具５ａ，５ｂが脱着可能に取り付けられ、これら支持具５ａ，５ｂ間に梁部材６が水平に架設されている。
【００２０】
前記支持具５ａ，５ｂは、図２および図３に示すように、支持具本体９を有し、この支持具本体９に刃部嵌合部１０と耳部嵌合部１１とが設けられ、その刃部嵌合部１０内にガイドレール３ａ，３ｂの刃部１２が、耳部嵌合部１１内にガイドレール３ａ，３ｂの耳部１３が嵌合されている。
【００２１】
また、支持具本体９の上端部には前記ガイドレール３ａ，３ｂの上端面と接触して梁部材６に加わる荷重を受ける受板１４が設けられているとともに、支持具本体９の背面には前記ガイドレール３ａ，３ｂの背面に接触する押し部材１５が設けられている。
【００２２】
支持具本体９の前面の両側部からは前記押し部材１５に渡ってボルト１６が螺挿され、これらボルト１６の締め付けによりガイドレール３ａ，３ｂの背面が前記押し部材１５により押圧され、これにより支持具５ａ，５ｂがガイドレール３ａ，３ｂに固定されている。
【００２３】
また、支持具本体９の前面の両側下部には前記梁部材６の端部を受ける受部１７が設けられている。
【００２４】
梁部材６は、図１に示すように、互いに離間して平行に並ぶ一対のトロリービーム２２を有し、これらトロリービーム２２の相互間に、巻上機４を吊るときの吊元部として機能する一対の滑車２３ａ，２３ｂが設けられている。これら滑車２３ａ，２３ｂは、トロリービーム２２を互いに連結した軸（図示せず）を介して回転自在に支持されている。
【００２５】
前記一対の滑車２３ａ，２３ｂはトロリービーム２２の両端寄りに配置されている。そしてトロリービーム２２の中間部には、乗りかご２や巻上機４を吊るときの吊元部として機能する掛け輪２４がその下方に突出するように取り付けられている。
【００２６】
この梁部材６は、各トロリービーム２２の両端部を前記支持具５ａ，５ｂの受部１７に嵌合し、ボルト（図示せず）により固定することによりその支持具５ａ，５ｂ間に架設されている。
【００２７】
次に、前記巻上機４を交換する際の手順について説明する。
【００２８】
まず、各ガイドレール３ａ，３ｂの頂部にそれぞれ支持具５ａ，５ｂを取り付ける。そしてこれら支持具５ａ，５ｂの受部１７間に梁部材６を架設し、ボルトで固定する。
【００２９】
梁部材６の掛け輪２４には、吊索としての第１の玉掛けワイヤロープ３０の一端部を取り付け、この玉掛けワイヤロープ３０の他端部を乗りかご２に連結する。
【００３０】
前記玉掛けワイヤロープ３０の途中には揚重機としてのチェーンブロック３１が設けられている。
【００３１】
そして前記チェーンブロック３１を操作して乗りかご２を前記掛け輪２４を吊元部として吊り上げ、乗りかご２に連結されている吊りロープ（図示せず）を緩める。この際、釣合い重り（図示せず）も適宜な手段により吊り上げておく。吊りロープの交換が必要な場合においては、この状態でその吊りロープを交換する。この交換の作業は作業員が乗りかご２の上に乗り込んで行なうことが可能である。
【００３２】
この後、吊索としての第２の玉掛けワイヤロープ３３を梁部材６の滑車２３ａ，２３ｂに通し、この玉掛けワイヤロープ３３の一端部を巻上機４に連結し、他端部を例えばガイドレール３ｂに掛け留める。この玉掛けワイヤロープ３３の途中には揚重機としてのチェーンブロック３４が設けられている。
【００３３】
そして、前記チェーンブロック３３を操作して玉掛けワイヤロープ３３に張力をかけ、この状態で巻上機４をガイドレール３ａから取り外し、この巻上機４を前記玉掛けワイヤロープ３３で前記滑車２３ａを吊元部として吊り下げる。
【００３４】
この際、巻上機４は、その吊元部としての滑車２３ａが昇降路１の内壁面から離れるガイドレール３ａ，３ｂの内側に位置しているから、昇降路１の内壁面と干渉することなく、ガイドレール３ａの背面側から正面側つまり昇降路１の中央寄りに移行して滑車２３ａの下方に吊り下げられる。したがって、巻上機４と昇降路１の内壁面との間に配設されている巻上機４の周辺機器や配線類を取り除くような面倒で煩わしい作業が不要となる。
【００３５】
この後、前記チェーンブロック３４をさらに操作して巻上機４を昇降させて昇降路１外に搬出する。この際、巻上機４がガイドレール３ａと干渉する恐れがあるときには、巻上機４をチェーンブロックを備える別の玉掛けワイヤロープ（図示せず）を用いて梁部材６の中間部の掛け輪２４に吊り換え、その状態で巻上機４を昇降させて昇降路１外に搬出する。
【００３６】
そして新たな巻上機を上述とは逆手順の作業により昇降路１内に取り込んでガイドレール３ｂの背面に取り付ける。
【００３７】
このような手順によれば、巻上機４の周辺機器や配線類を取り除くような面倒で煩わしい作業を要することなく、また巻上機４が昇降路１の内壁面と干渉することなく容易に能率よく巻上機４を交換することができる。
【００３８】
また、巻上機４や乗りかご２の吊元部はガイドレール３ａ，３ｂに架設された梁部材６に設けられており、このため従来のようにその吊元用の掛け部材を昇降路１の内壁面に穴をあけて取り付けるような面倒で煩わしい作業が不要となり、また昇降路１の内壁面に穴をあけるような必要がないから、振動や騒音を建屋の居住者に与えるようなことなく、静かに巻上機４の交換作業を進めることができる。
【００３９】
図４には第２の実施形態を示してあり、この実施形態においては、ガイドレール３ａ，３ｂ間に架設された梁部材６の一端部がレールブラケット３７を介して支持されている。
【００４０】
図５には、昇降路１に対するガイドレール３ａの固定構造を示してあり、ガイドレール３ａはレールブラケット３７を介してその昇降路１の内壁面に固定されている。レールブラケット３７は昇降路１の内壁面にアンカーボルト３８を介して取り付けられたＬ状の第１のブラケット３９と、ガイドレール３ａにレールクリップ４０を介して取り付けられたＬ状の第２のブラケット４１とを備え、第１のブラケット３９の水平部３９ａの上に第２のブラケット４１の水平部４１ａがボルト４２を介して締結され、これによりガイドレール３ａが昇降路１の内壁面に対して固定されている。
【００４１】
なお、ガイドレール３ａは、同様の構造の複数のレールブラケット３７を用いて所定間隔ごとの複数箇所が昇降路１の内壁面に固定されている。また、他方のガイドレール３ｂにおいても、図示しないが同様の構造の複数のレールブラケットを用いて所定間隔ごとの複数箇所が昇降路１の内壁面に固定されている。
【００４２】
また、各ガイドレール３ａ，３ｂは、複数のレール分割体３ａ´，３ｂ´に分割されていて、その各分割体３ａ´，３ｂ´を順次締結具（図示せず）により繋ぎ合わせることにより一連のガイドレール３ａ，３ｂとして構成されている。
【００４３】
この実施形態における梁部材６は、図４に示すように、第１の実施形態の場合と同様に一対のトロリービーム２２と一対の滑車２３ａ，２３ｂと掛け輪２４とを備えるが、前記トロリービーム２２の一端側の端部が支持部２２ａとして幅広の二股状に拡開している点が第１の実施形態の場合と異なっている。
【００４４】
巻上機４の交換作業の際には、図４に示すように、まず、ガイドレール３ａの最上部に配置するレールブラケット３７における第２のブラケット４１を第１のブラケット３９およびガイドレール３ａから取り外す。そして前記第１のブラケット３９の水平部３９ａの上にプレート４３を乗せ、ボルト４４で固定する。
【００４５】
次に、ガイドレール３ｂの頂部に第１の実施形態の場合と同様の支持具５ｂを取り付ける。そして梁部材６の一方側の端部をその支持具５ｂの受部１７に嵌合して固定し、この梁部材６の他方の端部における二股状の支持部２２ａを、その支持部２２ａ間にガイドレール３ａが介在するように前記プレート４３の上に乗せ、ボルト（図示せず）で固定する。
【００４６】
この状態において、第１の実施形態の場合と同様に、梁部材６の掛け輪２４に、チェーンブロック３１を備える玉掛けワイヤロープ３０を取り付け、この玉掛けワイヤロープ３０を乗りかご２に連結し、チェーンブロック３１を操作してその乗りかご２を吊り上げる。
【００４７】
この後、チェーンブロック３４を備える玉掛けワイヤロープ３３を滑車２３ａ，２３ｂに通し、この玉掛けワイヤロープ３３の一端部を巻上機４に連結し、他端部を例えばガイドレール３ｂに掛け留め、チェーンブロック３４を操作して玉掛けワイヤロープ３３に張力をかける。
【００４８】
次に、ガイドレール３ａにおける最上部のレール分割体３ａ´とその下側のレール分割体３ａ´との締結を外して最上部のレール分割体３ａ´をその下側のレール分割体３ａ´から分離させる。この分離により巻上機４を備える最上部のレール分割体３ａ´が独立して前記玉掛けワイヤロープ３３で吊られる状態となる。
【００４９】
この後、チェーンブロック３３を操作して巻上機４と一体のレール分割体３ａ´を下降させてそのレール分割体３ａ´の上端部を前記梁部材６の支持部２２ａ間から引き抜く。これにより、巻上機４およびレール分割体３ａ´は、昇降路１の内壁面と干渉することなく、昇降路１の中央寄りに移行して滑車２３ａの下方に吊り下げられる。
【００５０】
この後、チェーンブロック３３をさらに操作して巻上機４をレール分割体３ａ´ごと昇降させて昇降路１外に搬出する。この際、巻上機４やレール分割体３ａ´がガイドレール３ａと干渉する恐れがあるときには、巻上機４をチェーンブロックを備える別の玉掛けワイヤロープ（図示せず）を用いて梁部材６の中間部の掛け輪２４に吊り換え、その状態で昇降させる。
【００５１】
このようにこの第２の実施形態の場合には、巻上機４をガイドレール３ａから取り外す面倒な作業を要することなく、その巻上機４をレール分割体３ａ´ごと昇降路１外に搬出することができる。
【００５２】
古い巻上機４を昇降路１外に搬出した後には、その古い巻上機４に換えて新たな巻上機４を前述の逆手順により昇降路１内に搬入する。この際、その新たな巻上機４は予めレール分割体３ａ´に取り付けておき、そのレール分割体３ａ´と一体に昇降路１内に搬入して前述の逆手順によりレール分割体３ａ´をガイドレール３ａの最上部に締結して連結する。
【００５３】
このような手順によれば、暗くかつ狭い昇降路１内で巻上機４をガイドレール３ａ対して脱着する面倒な作業を要することなく、昇降路１外において容易に能率よく巻上機４をレール分割体３ａ´から取り外したり取り付けることができる。
【００５４】
なお、この第２の実施形態においては、梁部材６の一端側の端部をレールブラケット３７を利用して支持するようにしたが、梁部材６の両端側の端部のそれぞれを前記と同様の構造でレールブラケットを介して支持することにより、梁部材６をガイドレール３ａ，３ｂ間に架設するようにしてもよく、この場合には梁部材６をガイドレール３ａ，３ｂの最上部に配置させる場合に限らず、ガイドレール３ａ，３ｂの途中の任意の区間に架設することが可能となる。
【００５５】
図６には第３の実施形態を示してある。この第３の実施形態においては、前記第１の実施形態の場合と同様に、各ガイドレール３ａ，３ｂの頂部に支持具５ａ，５ｂが設けられ、これら支持具５ａ，５ｂ間に梁部材６が架設されている。
【００５６】
梁部材６は、互いに離間して平行に並ぶ一対のトロリービーム２２を有し、これらトロリービーム２２の相互間に一対の滑車２３ａ，２３ｂが設けられている。そしてこの第３の実施形態においては、その一方の滑車２３ａがトロリービーム２２の長手方向に対して移動可能に支持され、その滑車２３ａを駆動する駆動手段としての一対の油圧シリンダ５０がトロリービーム２２の上に設けられ、さらに前記油圧シリンダ５０に作動油を供給するコントロールユニット５１がガイドレール３ｂの背面部に支持台５２を介して支持されている。
【００５７】
この第３の実施形態の場合においても、前記第１の実施形態の場合と同様に、チェーンブロック３４を備える玉掛けワイヤロープ３３を梁部材６の滑車２３ａ，２３ｂに通し、この玉掛けワイヤロープ３３を巻上機４に連結し、前記チェーンブロック３４を操作して玉掛けワイヤロープ３３に張力をかけ、この状態で巻上機４をガイドレール３ａから取り外し、この巻上機４を前記玉掛けワイヤロープ３３で吊り下げる。
【００５８】
この際、巻上機４がガイドレール３ａと干渉する恐れがあるときには、前記コントロールユニット５１を介して各油圧シリンダ５０を作動させ、滑車２３ａを梁部材６の中間部寄りに移動させる。
【００５９】
この移動により滑車２３ａから吊り下げられた巻上機４がガイドレール３ａから大きく離れる梁部材６の中間部に配置し、したがって巻上機４とガイドレール３ａとの干渉を防止することができる。
【００６０】
このため、第１の実施形態の場合のように、巻上機４を別の玉掛けワイヤロープを用いて梁部材６の中間部に吊り換える作業を要することなく、巻上機４を容易に能率よく梁部材６の中間部に配置させてガイドレール３ａとの干渉を避けることができる。そしてこの状態において、前記チェーンブロック３４を操作して巻上機４を昇降させ、昇降路１外に搬出する。
【００６１】
【発明の効果】
以上説明したようにこの発明によれば、昇降路の内壁面に掛け部材を取り付けるような面倒で、かつ騒音や振動等が伴う作業を要することなく、簡易な手順で乗りかごや巻上機を昇降路の内壁面との干渉を避けつつ安定して吊り下げ、能率よく巻上機の交換作業を進めることができる。
【図面の簡単な説明】
【図１】この発明の第１の実施形態に係る巻上機交換用治具の使用時の状態を示す斜視図。
【図２】その巻上機交換用治具における支持具の斜視図。
【図３】その巻上機交換用治具における支持具の断面図。
【図４】この発明の第２の実施形態に係る巻上機交換用治具の使用時の状態を示す斜視図。
【図５】ガイドレールの固定構造を示す正面図。
【図６】この発明の第３の実施形態に係る巻上機交換用治具の使用時の状態を示す斜視図。
【符号の説明】
１…昇降路、２…乗りかご、３ａ，３ｂ…ガイドレール、４…巻上機、５ａ，５ｂ…支持具、６…梁部材、２２…トロリービーム、２３ａ，２３ｂ…滑車、２４…掛け輪、３０…玉掛けワイヤロープ、３１…チェーンブロック、３３…玉掛けワイヤロープ、３４…チェーンブロック、３７…レールブラケット、３９…第１のブラケット、４１…第２のブラケット。
【図１】
2004244162.tif 000003
【図２】
2004244162.tif 000004
【図３】
2004244162.tif 000005
【図４】
2004244162.tif 000006
【図５】
2004244162.tif 000007
【図６】
2004244162.tif 000008